(57)【要約】【課題】電池を複数個並列に収納する電池ケースと、電池を電池ケースの狭い取出し口から取出すように構成したリボンと、を備えた電池室の構造において、リボンの固定位置、及び配回し構造を工夫することによって、狭い取出し口から順序よく電池を取出す。【解決手段】電池Ｂ１、Ｂ２を複数個並列して収納する収納空所１１と、収納空所を形成する周壁１２の一部に開口形成されて電池を一個ずつ径方向へ取出し可能とする電池取出し口１３と、を備え、電池取出し口の幅が全電池の合計直径よりも狭く設定されている電池ケース２と、一端の固定部３ａを収納空所内壁に固定されると共に中間の巻き付き部３ｂを収納された全電池の外周に巻き付けられ且つ他端の把持部３ｃが電池取出し口から引き出し可能に配設された電池取出し用のリボン３と、を備えた電池室１において、リボンは、収納空所内において最初に取出す位置にある電池の外周の半周以上に巻き付くように構成されている。【選択図】　　　図１
2004039598.tif 000002
【特許請求の範囲】
【請求項１】
円筒形状の電池を複数個並列して収納する収納空所と、該収納空所を形成する周壁の一部に開口形成されて収納空所内の電池を一個ずつ径方向へ取出し可能とする電池取出し口と、を備え、前記電池取出し口の幅が収納空所内に収納可能な全電池の合計直径よりも狭く設定されている電池ケースと、一端の固定部を前記収納空所内壁に固定されると共に中間の巻き付き部を収納された全電池の外周に巻き付けられ且つ他端の把持部が電池取出し口から引き出し可能に配設された電池取出し用のリボンと、を備えた電池室において、
前記リボンは、収納空所内において最初に取出す位置にある電池の外周の半周以上に巻き付くように構成されていることを特徴とする電池室の構造。
【請求項２】
前記電池取出し口は、前記収納空所内における電池配列方向に対して、前記最初に取出す電池と対面する位置寄りに偏位して設けられており、
前記リボンは、前記固定部に近い前記巻き付き部から前記収納空所内壁に沿って添設されて前記最初に取出す電池以外の電池の外周を包囲するように巻き付き、更に前記最初に取出す電池とその隣の電池との間に入り込んでから前記最初に取出す電池の外周を包囲するようにＳ字状に巻き付いて前記電池取出し口に前記把持部が位置するように配設されることを特徴とする請求項１に記載の電池室の構造。
【請求項３】
前記リボンの固定部は、前記最初に取出す電池とその隣の電池との中間に相当する収納空所の内壁部分から、前記最初に取出す電池の側方に相当する内壁部分の範囲に固定されることを特徴とする請求項１又は２に記載の電池室の構造。
【発明の詳細な説明】
【０００１】
【発明の属する技術分野】
本発明はカメラ、ラジオ等々の携帯用機器において乾電池を収納する電池室の構造の改良に関し、特に単三電池等の円筒状の電池を２本以上並列して収納する電池室において、狭い取出し口から順序よく電池を取出し得るようにした電池室の構造に関する。
【０００２】
【従来の技術】
単三電池などの円筒状の乾電池を２本以上電池室内に並列状態に収納して電源として使用するカメラやラジオ等の携帯機器において、電池室から電池を取出す際に、従来は電池の端部を爪などで引っ掛けて取出す必要があった。しかし、電池室内に設けたバネ状の端子が電池端部の電極を強く保持している場合や、電池端部と電池室内壁との間に隙間が少ない場合等においては、爪等によって電池端部を引っ掛けて取出すことが容易でないという欠点があった。
このため、従来は、図４（ａ）（ｂ）に示すように、電池室１００を、電池ケース１０１と、リボン１０２から構成し、電池ケース１０１の内壁に一端１０２ａを固定したリボン１０２を内壁に沿って敷いておき、電池１０５ａ、１０５ｂを収納する時にはリボン上に電池１０５ａ、１０５ｂ、１０５ｃを並列して配置し、電池取出し時にはリボン１０２の他端１０２ｂをつまんで引き上げることで、電池取出し口１０３から電池をその径方向へ取出すようにしている。
ところで、携帯機器のデザイン上、機器の外観形状が収納する円筒状の電池の形状に沿った曲面に形作られることが多くある。そのような場合、電池の取出し口１０３の幅寸法Ｗ１が、収納する全ての電池１０５の直径ｄ１を合計した寸法よりも小さく設計されることがある。この場合、取出し口１０３から電池を収納、或いは取出す際に、各電池の収納或いは取出しの順序を間違えると、電池を収納或いは取出しできなくなることがある。
このような不具合に対応するために、従来は図４に示したように全ての電池１０５の下にリボン１０２を敷いておき、最初に取出す電池１０５ａの側からリボンの他端１０２ｂを引き出すようにしていたが、この方法では、図４（ａ）（ｂ）に夫々示すように、全ての電池が同時に移動を始め、電池同士がぶつかり合い、取出し口１０３を塞いでしまうためスムーズに取出すことはできなかった。
【０００３】
【発明が解決しようとする課題】
本発明は上記に鑑みてなされたものであり、円筒状の電池を複数個並列に収納する電池ケースと、電池ケース内に配設されて電池取出し時に端部を引き出すことによって電池を電池ケースの狭い取出し口から取出すように構成したリボンと、を備えた電池室の構造において、リボンの固定位置、及び配回し構造を工夫することによって、狭い取出し口から近い順に順序よく詰まりを起こすことなく電池を取出し得るように構成した電池室の構造を提供することを課題とする。
【０００４】
【課題を解決するための手段】
上記の課題を解決するため、請求項１の発明は、円筒形状の電池を複数個並列して収納する収納空所と、該収納空所を形成する周壁の一部に開口形成されて収納空所内の電池を一個ずつ径方向へ取出し可能とする電池取出し口と、を備え、前記電池取出し口の幅が収納空所内に収納可能な全電池の合計直径よりも狭く設定されている電池ケースと、一端の固定部を前記収納空所内壁に固定されると共に中間の巻き付き部を収納された全電池の外周に巻き付けられ且つ他端の把持部が電池取出し口から引き出し可能に配設された電池取出し用のリボンと、を備えた電池室において、前記リボンは、収納空所内において最初に取出す位置にある電池の外周の半周以上に巻き付くように構成されていることを特徴とする。
複数の円筒状電池を並列収納する収納空所の周壁に電池着脱用の電池取出し口を開口形成し、且つ取出し口の幅が２個の電池を同時に取出すことができない程度に狭い場合、収納空所の内壁に沿ってリボンを配回し、電池収納時にはこのリボン上に電池を支持するとともに、電池取出し時にはリボンの一端を取出し口から引き出すことにより電池を取出す構成が採用される。この場合に、リボンを引っ張ることにより２個以上の電池が取出し口に向けて同時に移動すると、狭い取出し口に詰まって取出しが困難となる。
そこで、本発明では、リボンを引っ張った時に取出し口に最も近い位置にある電池だけが先行して引き出され、その後は隣接する電池が順次引き出されるようにリボンを電池に巻掛ける手順を工夫した。具体的には、リボンの遊端状の端部（把持部）に近い巻き付き部を取出し口に近い第１の電池の外周の半周以上に巻き付けるようにしたので、リボンの把持部を取出し口から外へ向けて引っ張ったときに真っ先に第１の電池が引き出され、その際に隣接する電池等の残りの電池は全く挙動しない。このため狭い取出し口において、複数の電池が衝突して詰まりを起こすことがなくなる。このようなリボンの配回し方法を、リボン自体、或いは電池室の外側に表示して電池のセットの仕方を指示しておくことにより、操作者は間違いなく容易にリボン及び電池をセットすることができ、電池取出し時にはリボンを引っ張るだけで取出し口に近い側の電池からスムーズに全ての電池を順序よく取出すことが可能となる。
【０００５】
請求項２の発明は、請求項１において、前記電池取出し口は、前記収納空所内における電池配列方向に対して、前記最初に取出す電池と対面する位置寄りに偏位して設けられており、前記リボンは、前記固定部に近い前記巻き付き部から前記収納空所内壁に沿って添設されて前記最初に取出す電池以外の電池の外周を包囲するように巻き付き、更に前記最初に取出す電池とその隣の電池との間に入り込んでから前記最初に取出す電池の外周を包囲するようにＳ字状に巻き付いて前記電池取出し口に前記把持部が位置するように配設されることを特徴とする。
リボンの巻き付き部は、リボンの固定部に近い方が後から取出される電池（第２の電池以降の電池）の外周を包囲するように配置され、更に折り返した巻き付き部は先に取出される第１の電池と第２の電池との間に入り込んでから第１の電池の外周に巻き付くことにより、全体としてＳ字を形成している。このため、リボンの把持部を引き出した当初には、第１の電池を支持した巻き付き部分のみが引き出され、当該巻き付き部分に支持された第１の電池のみが取出し口から取出される一方で、Ｓ字状に配回されたリボンの巻き付き部の残りの部分によって支持された残りの電池はリボンによって引き出されることがなくほぼ静止している。第１の電池取出し後に、引き続いてリボンを引き出すことにより、第２の電池以降の電池を支持した巻き付き部分が引張り力を受けるため、第２の電池が始めて動作を開始し、取出し口から取出される。更に、第３、第４の電池が並列配置されている場合には、順次、順序よく取出され、詰まりを起こすことがない。
請求項３の発明では、請求項１又は２において、前記リボンの固定部は、前記最初に取出す電池とその隣の電池との中間に相当する収納空所の内壁部分から、前記最初に取出す電池の側方に相当する内壁部分の範囲に固定されることを特徴とする。
リボンの固定部を収納空所内壁に固定する位置を、上記範囲外にした場合、例えば第１と第２の電池の中間位置よりも、第２の電池寄りの位置に配置した場合には、リボンをＳ字状に配回したとしても、リボン端部を引き出したときに、第２の電池を支持する巻き付き部に引張力が作用してしまい、第１の電池のみならず、第２の電池までも引き出し方向へ引っ張られてしまうこととなる。従って、リボンの固定部を配置する範囲の一方の限界位置は、第１と第２の電池の中間位置になる。また、固定部を配置する範囲の他方の限界位置は、第１の電池の側方に相当する内壁の位置である。このようにすることにより、第１の電池を出した後で更にリボンを引っ張ったときに第２の電池に作用する力が増大し、第２の電池以降の電池を大きく移動させて取出し口の外側へ押し出すことが可能となる。
【０００６】
【発明の実施の形態】
以下、本発明を図面に示した実施の形態により詳細に説明する。
図１（ａ）及び（ｂ）は本発明の一実施形態に係る電池室の構造を示す断面図である。
この電池室１は、図示しない携帯機器の一部を構成しており、複数個の円筒状の電池Ｂ１、Ｂ２を出入れ自在に収納する電池ケース２と、電池ケース２内に配置されるリボン３と、を備えている。
図１（ａ）（ｂ）に示すように、電池ケース２は、複数個の円筒形状の電池Ｂ１、Ｂ２を並列状態で近接して収納する収納空所１１と、該収納空所１１を形成する周壁１２の一部に開口形成されて収納空所１１内の第１及び第２の電池Ｂ１、Ｂ２を一個ずつ径方向（電池の軸方向と直交する方向）へ取出し可能とする電池取出し口１３と、を備える。電池取出し口１３は、収納空所の周壁１２の上側壁部に開口形成されており、電池取出し口１３の開口幅Ｗ１は、収納空所１１内に収納可能な全ての電池の直径ｄ１を合計した寸法よりも狭く設定されている。この実施形態では、第１及び第２の電池Ｂ１、Ｂ２を横方向に並列配置しているため、収納空所１１は横長形状となっており、その周壁１２の上部に電池取出し口１３が開口形成され、電池取出し口１３と対向する下方に収納空所の底部１１ａが位置している。電池取出し口１３の奥行き方向寸法は、電池を取出し可能なように、電池の軸方向長よりも少し大きく設定されている。電池取出し口１３の開口幅Ｗ１は、レイアウト上の理由等から、収納した全ての電池Ｂ１、Ｂ２を一括して取り出せないように、全電池の直径ｄ１の合計寸法よりも狭く設定されている。また、電池取出し口１３は、収納空所の底部１１ａの幅方向中央部よりも、最初に取出す電池Ｂ１寄りに偏位して配置されている。このため、後述するリボン３の引き出し操作によって、奥側に位置する第２の電池Ｂ２を先に取出すことはできず、必ず取出し口１３に近い第１の電池Ｂ１が先に取り出されることとなる。しかも、第１の電池が取出し口から取り出される過程で、第２の電池はリボンによって移動されることがなく、２つの電池が取出し口で詰まることがなくなる。
【０００７】
リボン３は、図１（ａ）に示すように、例えば細幅帯状で電池を安定して保持できる幅を有した可撓性の絶縁シートから構成された電池取出し手段である。リボン３の一端の固定部３ａを収納空所１１の内壁（底部１１ａ）に固定すると共に、中間の巻き付き部３ｂを収納された全電池Ｂ１、Ｂ２の外周にＳ字状に巻き付け、且つ他端の把持部３ｃを電池取出し口１３から引き出し可能に配設している。
リボンの固定部３ａは、この例では、収納空所１１の底部１１ａ上の、最初に取出す第１の電池Ｂ１と、隣接する第２の電池Ｂ２との間に相当する位置（中間位置）に固定され、リボンの巻き付き部３ｂは、少なくとも最初に取出す電池Ｂ１の外周の半周以上に巻き付くように構成されている。このため、把持部３ｃを取出し方向Ａへ引っ張った時に、第１の電池Ｂ１だけが同方向へ移動し、第２の電池Ｂ２はほとんど静止した状態にある。
更に、具体的には、リボンの巻き付き部３ｂは、固定部３ａに近い部分から収納空所内壁に沿うように添設されて、最初に取出す電池Ｂ１以外の電池Ｂ２の外周（ほぼ全周）を反時計回りに包囲するように巻き付き、更に最初に取出す電池Ｂ１とその隣の電池Ｂ２との間隙に上側から入り込んでから最初に取出す電池Ｂ１の外周を時計廻りに包囲するように、全体としてＳ字状に巻き付いて、電池取出し口１３内に把持部３ｃが位置するように配設される。
このため、図１（ｂ）に示すように、リボン３の把持部３ｃを指等によって把持して（つまんで）、矢印で示す電池の軸方向と直交する方向Ａへ引き出すことにより、真っ先に電池Ｂ１だけを矢印Ｂ方向へ取出すことができる。このとき、電池Ｂ２はリボンによって固定され殆ど動かない。電池Ｂ１が取り外された後、さらにリボンを引くと電池Ｂ２がリボンによって引き出され、２本の電池とも容易に取り外すことができる。
【０００８】
固定部３ａを内壁に固定する位置を図示した中間位置よりも第２の電池寄りに大きく変位した位置（例えば、図４に示した位置１０２ａ）に配置した場合には、リボンを引っ張って第１の電池を取出す動作とほぼ連動して第２の電池もリボンによって順次引っ張られ、両電池が狭い取出し口にて詰まりを起こす虞がある。つまり、図１のように固定部３ａが中間位置内にある限り、把持部３ｃをＡ方向へ引き出したときに第１の電池を支持する巻き付き部分３ｂ−１だけが第１の電池に作用して第１の電池を方向Ｂへ押し出すが、固定部３ａが限界位置Ｐ２を越えて第２の電池寄りの位置にある場合には、把持部をＡ方向へ引き出したときに第２の電池を支持する巻き付き部分３ｂ−２までが引張力を受けて第２の電池を押し出すこととなり、詰まりが生じる原因を作ることとなる。
この際、リボン３の固定部３ａを配置する内壁位置を図１（ａ）（ｂ）に示した位置（２つの電池Ｂ１、Ｂ２の中間位置）よりも第１の電池Ｂ１寄りの内壁に配置すれば、リボン第２の電池Ｂ２をリボンによってすくい上げる際に電池Ｂ２に作用する力が強くなり、電池Ｂ２を更に大きく上方へ押し出すことが可能となり、取出しが容易となる。図２はリボンの固定部３ａを第１の電池Ｂ１寄りの内壁に配置した例を示している。図２において、リボン固定範囲は、第２の電池Ｂ２の外周が内壁と接する位置（限界位置Ｐ２）から取出し口１３に近い内壁の端縁近傍の限界位置Ｐ１までの間である。この範囲内にリボンの固定部３ａを固定することにより上記の如き本発明特有の効果を得ることができる。
即ち、リボンの固定部３ａを配置する収納空所１１の内壁位置は、電池ケース２の構造や電池ケース周辺の外形状等によって様々な制約を受けるが、図１で示した位置、即ち第１の電池Ｂ１と第２の電池Ｂ２のほぼ中間に相当する内壁（限界位置Ｐ２から位置Ｐ２’までの範囲）から、図２に示した電池Ｂ１の側方位置（取出し口１３寄りの内壁、限界位置Ｐ１）の範囲内であれば、リボン３の把持部を引っ張るだけで、全ての電池を順次スムーズ且つ容易に取出すことができる。なお、中間位置とは、図２のＰ２からＰ２’の範囲であり、この中間位置範囲を図面左方に超えた限界位置Ｐ１までの範囲であれば、固定部３ａを固定することできる。
なお、電池ケース２内に収納する電池の個数は、２本以上であっても、２本の場合と同様にリボン１１を配回すことにより、同様に第１の電池から順次スムーズに取出すことが可能となる。即ち、図３は電池ケース内に３本の電池Ｂ１、Ｂ２、Ｂ３を横方向に並列状態に配置した構成例を示している。電池の取出し方向は、電池の軸方向と直交する径方向である。なお、図１と同一部分には同一符号を付して説明する。
【０００９】
リボンの固定部３ａは、この例では、収納空所１１の底部１１ａ上の、最初に取出す第１の電池Ｂ１と、隣接配置された第２の電池Ｂ２との間に相当する位置に固定され、リボンの巻き付き部３ｂは、少なくとも最初に取出す電池Ｂ１の外周の半周以上に巻き付くように構成されている。
更に、リボンの巻き付き部３ｂは、固定部３ａに近い部分から収納空所内壁に沿うように添設されて、最初に取出す電池Ｂ１以外の全ての電池Ｂ２、Ｂ３の外周（ほぼ全周）を反時計回りに包囲するように巻き付き、更に最初に取出す電池Ｂ１とその隣の電池Ｂ２との間隙に上側から入り込んでから最初に取出す電池Ｂ１の外周を時計廻りに包囲するように、全体としてＳ字状に巻き付いて、電池取出し口１３内に把持部３ｃが位置するように配設される。
このため、図１（ｂ）と同様に、リボン３の把持部３ｃを指等によって把持して（つまんで）、矢印で示す電池の軸方向と直交する方向Ａへ引き出すことにより、真っ先に電池Ｂ１だけを矢印Ｂで示す径方向へ取出すことができる。このとき、電池Ｂ２、Ｂ３はリボン３によって固定され殆ど動かない（第１の電池の取出しに影響がない程度の挙動は許容範囲）。電池Ｂ１が取り外された後、さらにリボンを引くと電池Ｂ２と電池Ｂ３が順次リボンによって引き出され、３本の電池とも容易に取り外すことができる。
このように本発明のようにリボンを配回すことにより、電池が３本、或いはそれ以上の場合であっても、第１の電池Ｂ１が最初に取出されると、電池ケース２内にスペース的な余裕が確保され、残りの他の電池をリボンによって簡単に引き出すことができるようになる。
この場合も、リボンの固定部３ａを固定する位置は、図３に示した如き第１と第２の電池の中間位置から、第１の電池Ｂ１の側方に位置する内壁までの範囲を任意に選定可能である。
【００１０】
【発明の効果】
以上のように本発明によれば、円筒状の電池を複数個並列に収納する電池ケースと、電池ケース内に一端を固定されて電池取出し時に端部を引き出すことによって電池を電池ケースの狭い取出し口から取出すように構成したリボンと、を備えた電池室の構造において、リボンの固定位置、及び配回し構造を工夫することによって、狭い取出し口から順序よく電池を取出すことができる。
即ち、請求項１の発明によれば、取出し口に最も近い最初に取出す第１の電池の外周にリボンを巻きつけることで、他の電池の影響を受けずに最初に取出す電池を簡単に取り外すことができ、その後の電池も容易に外すことができるようになる。
請求項２の発明によれば、最初に取出す電池と他の電池の外周にＳ字状にリボンを巻きつけることで、最初に取出す電池を容易に取り外すことができるばかりでなく、他の電池もリボンにより容易に取出すことができるようになる。
請求項３の発明によれば、リボンを固定する位置が広い範囲にあるため、電池ケースの形状や、外形形状に多くの自由度を持たせることができる。
【図面の簡単な説明】
【図１】（ａ）及び（ｂ）は本発明の第１の実施形態に係る電池室の構造及び取出し手順を説明する断面図。
【図２】第２の実施形態の電池室の断面図。
【図３】第３の実施形態の電池室の断面図。
【図４】（ａ）及び（ｂ）は従来例の電池室の構成及び取出し動作を示す断面図。
【符号の説明】
１　電池室、Ｂ１、Ｂ２、Ｂ３　電池、２　電池ケース、３　リボン、３ａ　固定部、３ｂ　巻き付き部、３ｃ　把持部、１１　収納空所、１１ａ　底部、１２　周壁、１３　電池取出し口。
【図１】
2004039598.tif 000003
【図２】
2004039598.tif 000004
【図３】
2004039598.tif 000005
【図４】
2004039598.tif 000006